(57)【要約】  【課題】ストッパ体が変形するのを適切に防止できるストッパ装置を提供する。  【解決手段】ストッパ装置21は、ロッド用孔25およびストッパ体用孔29を有するロッド被挿通体26を備える。ストッパ装置21は、ロッド14に対するロッド被挿通体26の移動を規制する規制位置およびロッド14に対するロッド被挿通体26の移動を許容する許容位置に選択的に移動するストッパピン31を備える。ストッパ体31は、規制位置への移動時にはストッパ体用孔29およびストッパ体挿通孔20に入り込み、許容位置への移動時には少なくともストッパ体挿通孔20から出る。  【選択図】図３
2005218316.tif 000002
【特許請求の範囲】
【請求項１】
整地体支持用のロッドが挿通されるロッド用孔を有するロッド被挿通体と、
前記ロッドに対する前記ロッド被挿通体の移動を規制する規制位置および前記ロッドに対する前記ロッド被挿通体の移動を許容する許容位置に選択的に移動するストッパ体とを備え、
前記ロッド被挿通体は、前記ストッパ体に対応した形状のストッパ体用孔を有し、
前記ストッパ体は、前記規制位置に位置した状態時には、前記ストッパ体用孔および前記ロッドのストッパ体挿通孔に挿通された状態となる
ことを特徴とするストッパ装置。
【請求項２】
ストッパ体は、ロッドの長手方向と交差する方向に長手方向を有するストッパピンである
ことを特徴とする請求項１記載のストッパ装置。
【請求項３】
ストッパ体用孔は、ロッド被挿通体の略中央部に形成されている
ことを特徴とする請求項１または２記載のストッパ装置。
【発明の詳細な説明】
【技術分野】
【０００１】
本発明は、農作業機用のストッパ装置に関するものである。
【背景技術】
【０００２】
従来、例えば整地体支持用のロッドが挿通されるロッド用孔を有するロッド被挿通体と、このロッド被挿通体の後方位置でロッドに対するロッド被挿通体の移動を規制する規制位置およびロッドに対するロッド被挿通体の移動を許容する許容位置に選択的に移動するストッパ体（ストッパピン）とを備えたストッパ装置が知られている（例えば、特許文献１参照）。
【特許文献１】特開２００１−１２８５０３号公報
【発明の開示】
【発明が解決しようとする課題】
【０００３】
しかしながら、上記従来のストッパ装置では、ストッパ体を規制位置に移動させた状態時にそのストッパ体に比較的大きな荷重が加わった場合に、ストッパ体の変形等の不具合が生じるおそれがある。
【０００４】
本発明は、このような点に鑑みなされたもので、ストッパ体の変形等の不具合が発生するのを適切に防止できるストッパ装置を提供することを目的とする。
【課題を解決するための手段】
【０００５】
請求項１記載のストッパ装置は、整地体支持用のロッドが挿通されるロッド用孔を有するロッド被挿通体と、前記ロッドに対する前記ロッド被挿通体の移動を規制する規制位置および前記ロッドに対する前記ロッド被挿通体の移動を許容する許容位置に選択的に移動するストッパ体とを備え、前記ロッド被挿通体は、前記ストッパ体に対応した形状のストッパ体用孔を有し、前記ストッパ体は、前記規制位置に位置した状態時には、前記ストッパ体用孔および前記ロッドのストッパ体挿通孔に挿通された状態となるものである。
【０００６】
そして、ストッパ体が、規制位置に位置した状態時には、ストッパ体用孔およびストッパ体挿通孔に挿通された状態となるため、ロッド被挿通体がロッドからの荷重を受けることとなり、ストッパ体の変形等の不具合が発生するのを適切に防止することが可能となる。
【０００７】
請求項２記載のストッパ装置は、請求項１記載のストッパ装置において、ストッパ体は、ロッドの長手方向と交差する方向に長手方向を有するストッパピンであるものである。
【０００８】
そして、比較的変形が容易なストッパピンであるにも拘わらず、ストッパ体であるストッパピンの変形等の不具合が発生するのを適切に防止することが可能となる。
【０００９】
請求項３記載のストッパ装置は、請求項１または２記載のストッパ装置において、ストッパ体用孔は、ロッド被挿通体の略中央部に形成されているものである。
【００１０】
そして、ストッパ体用孔をロッド被挿通体の略中央部に形成するため、ストッパ体用孔をロッド被挿通体の略中央部以外の部分に形成する場合に比べて、製造性が良好である。
【発明の効果】
【００１１】
請求項１の発明によれば、ストッパ体が、規制位置に位置した状態時には、ストッパ体用孔およびストッパ体挿通孔に挿通された状態となるため、ロッド被挿通体がロッドからの荷重を受けることとなり、ストッパ体の変形等の不具合が発生するのを適切に防止できる。
【００１２】
請求項２の発明によれば、比較的変形が容易なストッパピンであるにも拘わらず、ストッパ体であるストッパピンの変形等の不具合が発生するのを適切に防止できる。
【００１３】
請求項３の発明によれば、ストッパ体用孔をロッド被挿通体の略中央部に形成するため、ストッパ体用孔をロッド被挿通体の略中央部以外の部分に形成する場合に比べて、製造性が良好である。
【発明を実施するための最良の形態】
【００１４】
本発明の農作業機の一実施の形態を図面を参照して説明する。
【００１５】
図１および図２において、１は農作業機で、この農作業機１は、例えば走行車であるトラクタ（図示せず）に連結された状態でこのトラクタの走行により前方に移動しながら耕耘整地作業を行うものである。なお、非作業時に農作業機１を支持するスタンド２は、作業時には農作業機１から取り外される。
【００１６】
そして、農作業機１は、トラクタの後部の３点リンク部に連結された機体３を備えている。
【００１７】
機体３には、トラクタのＰＴＯ軸にユニバーサルジョイント等を介して連結された入力軸４側からの動力により所定方向に駆動回転しながら耕耘作業をするロータリ式の耕耘体５が設けられている。耕耘体５は、左右方向の耕耘軸を有し、この耕耘軸には複数の耕耘爪が放射状に設けられている。
【００１８】
また、機体３には、耕耘体５の後方位置で整地作業をする略板状の整地体（均平板）６が上下方向に回動可能に設けられている。すなわち、整地体６の前端部が機体３のカバー部８の後端部に左右方向の軸部９を介して回動可能に取り付けられ、整地体６は前端側の軸部９を中心として後端側が昇降するように上下方向に回動する。整地体６は、左右方向に長手状で略板状の整地体本体板部11を有し、この整地体本体板部11の上面から突出板部12が上方に向って突出している。
【００１９】
さらに、機体３には、整地体６を支持する断面略円形状で細長棒状の整地体支持用のロッド14が上下方向に回動可能に設けられている。すなわち、ロッド14の前端部が機体３のロッド被取付部15に左右方向の軸部16を介して回動可能に取り付けられ、ロッド14は前端側の軸部16を中心として後端側が昇降するように上下方向に回動する。
【００２０】
ロッド14は、図３および図４にも示すように、細長い略円筒状のもので、このロッド14の外周側には、長さの異なる第１コイルばね17および第２コイルばね18が装着されている。また、ロッド14には、略円形状のばね力調節用孔19が並設されているとともにそのばね力調節用孔19より若干大きい１つの略円形状の固定用孔であるストッパ体挿通孔20が形成されている。
【００２１】
そして、整地体６およびロッド14間には、ロッド14に対して整地体６を固定するための整地体固定用のストッパ装置21が配設されている。
【００２２】
ここで、このストッパ手段であるストッパ装置21は、図３ないし図８に示すように、装置本体23を備え、この装置本体23は、互いに離間対向した左右一対の側面視略Ｕ字状の保持枠部24を下部に有している。
【００２３】
そして、装置本体23の保持枠部24には、整地体支持用のロッド14がスライド移動可能に挿通されたロッド用孔25を有するロッド被挿通体（タンブラ）26が固定的に設けられている。すなわち、装置本体23の保持枠部24の内側にはロッド被挿通体26が嵌着され、このロッド被挿通体26がその保持枠部24の内側から抜け出ないようにスナップリング27がロッド被挿通体26の溝部28に装着されている。
【００２４】
ロッド被挿通体26は、左右方向に軸方向を有する略円柱状のもので、このロッド被挿通体26の略中央部に断面略円形状をなす前後方向のロッド用孔25が形成され、このロッド用孔25にロッド14が挿通されている。また、ロッド被挿通体26の軸方向の略中央部の上下部分には、断面略円形状をなす上下方向のストッパ体用孔29が形成され、両ストッパ体用孔29はロッド用孔25に連通している。
【００２５】
なお、ロッド被挿通体26の軸方向両端部の外周側には、整地体６の突出板部12が回動可能に取り付けられている。
【００２６】
また、装置本体23には、ロッド14のストッパ体挿通孔20に臨んだ部分と当接してロッド14に対するロッド被挿通体26の移動を規制する規制位置およびロッド14に対するロッド被挿通体26の移動を許容する許容位置に選択的に移動するストッパ体、例えばロッド14の長手方向と直交する方向（上下方向）に長手方向を有する断面略円形状のストッパピン31がそのストッパピン31の長手方向に沿って上下方向に移動可能に設けられている。
【００２７】
そして、このストッパピン31は、規制位置に位置した状態時には上下方向に並んだロッド被挿通体26のストッパ体用孔29およびロッド14のストッパ体挿通孔20に挿通された状態となり、許容位置に位置した状態時には少なくともストッパ体挿通孔20から上方に抜き出された状態となる。
【００２８】
なお、ストッパ体用孔29とストッパ体挿通孔20とは略同じ大きさの孔であり、これらの孔20，29に対して出入りするストッパピン31の外径は、孔20，29の開口径より若干小さい寸法である。つまり、孔20，29はストッパピン31に対応した形状で、ストッパピン31が嵌入する形状となっている。
【００２９】
また一方、図７に示されるように、装置本体23にはストッパピン31を移動させるためのロック部33付の操作レバー34が回動可能に設けられ、この装置本体23内には操作レバー34の回動に連動する巻きばね35、止めピン36、第１押しばね37およびＥリング38が配設されている。
【００３０】
なお、ロック部33は第２押しばね39にて付勢されて案内溝40の係合部41と係合し、このロック部33と係合部41との係合により操作レバー34が回動不能となる。ロック部33を第２押しばね39の付勢力に抗して押し下げることにより、ロック部33と係合部41との係合を解除でき、操作レバー34を回動操作できる。また、図８の２点鎖線で示すように、ストッパピン31が許容位置に位置した状態時には、ストッパピン31の先端部31aはストッパ体挿通孔20を拾い易いようにストッパ体用孔29内に位置する。ストッパピン31の先端部31aをストッパ体用孔29から上方に抜き出す場合は、第１押しばね37の付勢力に抗してストッパピン31を上方に引き上げればよい。
【００３１】
次に、上記一実施の形態の作用等を説明する。
【００３２】
固定手段であるストッパ装置21を用いて整地体６をロッド14に対して固定する場合、ロック部33によるロックを解除してから、操作レバー34を所定方向（図７中、時計回りの方向）に回動操作した後に、両手で整地体６を持上げて軸部９を中心に上方回動させると、ロッド14が軸部16を中心として上方回動するとともに、ロッド被挿通体26がロッド14に対してこのロッド14に沿って移動する。
【００３３】
そして、ロッド被挿通体26が所望量移動し、ロッド14のストッパ体挿通孔20とロッド被挿通体26のストッパ体用孔29とが上下に互いに一致した時点で、ストッパピン31は、巻きばね35の付勢力により規制位置に向って下方移動し、ストッパ体用孔29およびストッパ体挿通孔20に挿通され、これらストッパ体用孔29およびストッパ体挿通孔20に対して嵌入された状態となる。
【００３４】
これにより、ストッパピン31の外周部とロッド14のストッパ体挿通孔20に臨んだ部分とが当接し、この当接によりロッド14に対するロッド被挿通体26の移動が規制され、整地体６がロッド14に対して固定される。
【００３５】
そして、この整地体６の固定状態（ロック状態）では、耕耘体５および整地体６等のメンテナンス或いは洗浄等を容易に行うことができる。
【００３６】
なお、耕耘体５および整地体６を使用して耕耘整地作業を行う場合において、整地体６の固定を解除するとき、つまり整地体６をフリー状態にするときには、ロック部33によるロックを解除してから、操作レバー34を所定方向（図７中、反時計回りの方向）に回動操作すれば、ストッパピン31は、操作レバー34に連動して許容位置に向って上方移動し、ストッパ体用孔29およびストッパ体挿通孔20から抜き出される。
【００３７】
そして、このような農作業機１によれば、ストッパピン31が、規制位置への移動時にロッド被挿通体26のストッパ体用孔29に挿通されるとともにロッド14のストッパ体挿通孔20に挿通されるようになっているため、ロッド被挿通体26がロッド14からの荷重（整地体６の重量等）を受けることとなり、ロッド被挿通体26がロッド14をこのロッド14が変形しないように保持する。このため、従来に比べてストッパピン31の変形や損傷等の不具合が発生するのを適切に防止でき、またストッパピン31に要求される強度を弱くできる。
【００３８】
なお、農作業機１は、ロッド14およびストッパ装置21等を左右両側に設けた構成には限定されず、例えばロッド14およびストッパ装置21等を左右方向略中央に設けた構成等でもよい。
【００３９】
また、ロッド14に対するロッド被挿通体26の移動を規制するストッパ体は、細長棒状のストッパピン31には限定されず、板状のもの等でもよい。
【図面の簡単な説明】
【００４０】
【図１】本発明の農作業機の一実施の形態を示す整地体ロック状態の側面図である。
【図２】同上農作業機の整地体フリー状態の側面図である。
【図３】同上農作業機のロッド部分の側面図である。
【図４】同上農作業機のロッド部分の底面図である。
【図５】同上農作業機のストッパ装置の側面図である。
【図６】同上農作業機のストッパ装置の底面図である。
【図７】同上農作業機のストッパ装置の動作説明図である。
【図８】同上農作業機のストッパ装置の一部断面図である。
【符号の説明】
【００４１】
14    整地体支持用のロッド
20    ストッパ体挿通孔
21    ストッパ装置
25    ロッド用孔
26    ロッド被挿通体
29    ストッパ体用孔
31    ストッパ体であるストッパピン
【図１】
2005218316.tif 000003
【図２】
2005218316.tif 000004
【図３】
2005218316.tif 000005
【図４】
2005218316.tif 000006
【図５】
2005218316.tif 000007
【図６】
2005218316.tif 000008
【図７】
2005218316.tif 000009
【図８】
2005218316.tif 000010